(57)【要約】      （修正有）【課題】アスペクト比情報を参照し、コンテンツのアスペクト比が途中で変化した場合、切替信号を表示器に送信して表示器のアスペクト比を自動で切替え、最適なアスペクト比でコンテンツを再生できるようにした光ディスク装置を提供する。【解決手段】制御部は、再生しているコンテンツのアスペクト比が１６：９に変化したか否か判断する（ｓ７）。この判断は、再生しているコンテンツのアスペクト比情報と後述のｓ１４で記憶部に記録されるアスペクト比情報とを比較することにより行なわれる。制御部は、テレビジョンのアスペクト比を該変化したアスペクト比１６：９に切替える旨の切替信号（命令）をテレビジョンに送信する（ｓ９）。この切替信号（命令）を受信すると、テレビジョンは、アスペクト比を１６：９に切替える。【選択図】図３
2007158531.tif 000002
【特許請求の範囲】
【請求項１】
装置本体にセットされている光ディスクにピックアップヘッドからレーザ光を照射し、その光ディスクに対して、データの読取を行う読取手段を備え、表示器が接続されている光ディスク装置において、
前記読取手段は、前記光ディスクに記録されているコンテンツの読取を行っている際、該コンテンツのアスペクト比に関するアスペクト比情報を参照して、該コンテンツのアスペクト比が変化したか否かを判断し、
前記読取手段が該コンテンツのアスペクト比が変化したと判断すると、前回切替信号を送信してから一定時間経過したか否か判断し、該一定時間経過したと判断した場合に、前記表示器のアスペクト比を該変化したアスペクト比に切替える旨の切替信号を前記表示器に送信する命令送信手段を備える光ディスク装置。
【請求項２】
装置本体にセットされている光ディスクにピックアップヘッドからレーザ光を照射し、その光ディスクに対して、データの読取を行う読取手段を備え、表示器が接続されている光ディスク装置において、
前記読取手段は、前記光ディスクに記録されているコンテンツの読取を行っている際、該コンテンツのアスペクト比に関するアスペクト比情報を参照して、該コンテンツのアスペクト比が変化したか否かを判断し、
前記読取手段が該コンテンツのアスペクト比が変化したと判断すると、前記表示器のアスペクト比を該変化したアスペクト比に切替える旨の切替信号を前記表示器に送信する命令送信手段を備える光ディスク装置。
【請求項３】
前記命令送信手段は、前回切替信号を送信してから一定時間経過したか否か判断し、該一定時間経過したと判断した場合に、前記切替信号を表示器に送信する請求項２に記載の光ディスク装置。
【発明の詳細な説明】
【技術分野】
【０００１】
本発明は、装置本体にセットされている光ディスクに記録されているコンテンツの読取を行う光ディスク装置に関し、特に該コンテンツのアスペクト比情報を参照する光ディスク装置に関するものである。
【背景技術】
【０００２】
従来、ＤＶＤ（Digital  Versatile  Disk）等の光ディスクに記録されているコンテンツを読み取り、このコンテンツに基づく再生信号を生成して、再生映像又は再生音声を表示器に出力する光ディスク装置が一般に普及している。表示器は、伝送線を介して光ディスク装置と接続されており、例えばＴＶ受像機、液晶などのモニタである。コンテンツは、例えばＴＶ番組、または映画である。光ディスク装置は、例えばＤＶＤプレーヤ、またはＤＶＤレコーダである。
【０００３】
上記光ディスクには、コンテンツとともに、該コンテンツのアスペクト比情報が記録されている。アスペクト比情報は、アスペクト比に関する情報であり、コンテンツに関する制御データである。アスペクト比は、例えば４：３、または１６：９である。
そして、上記コンテンツは、１つのコンテンツ内でもアスペクト比が異なるプログラムが配列されていることもある。
【０００４】
表示器の中でも最新機種のものは、アスペクト比情報を自ら参照して、コンテンツのアスペクト比が途中で変化した場合、表示器のアスペクト比を自動で切替えることができる。このようなアスペクト比の切替は、ユーザが操作手段においてアスペクト比オートに設定することにより可能となる。
これにより、従来の光ディスク装置は、生成した再生信号を上記表示器に出力するだけで、表示器において、最適なアスペクト比でコンテンツを再生できる。
【０００５】
一方、特許文献１に記載されたようなＤＶＤレコーダが提案されている。
このＤＶＤレコーダは、映像をＤＶＤに記録している間、アスペクト比情報を検出するアスペクト比情報検出部と、前記アスペクト比情報検出部が検出したアスペクト比情報を参照して映像のアスペクト比が変化したか否か検出し、変化したことを検出すると、アスペクト比が変化した変化点のアドレス情報を取得するＭＰＵと、を備える。
アスペクト比が変化した変化点のアドレス情報を取得すると、ＭＰＵは、ＤＶＤの制御データであるプログラムチェーン情報（ＰＧＣＩ）に「ここからのアスペクト比は４：３（または１６：９）」である旨の情報を記録する。
【特許文献１】特開２００４−１２０４７３公報
【発明の開示】
【発明が解決しようとする課題】
【０００６】
しかしながら、殆どの表示器は、アスペクト比情報を自ら参照することができない。
殆どの表示器は、アスペクト比情報を自ら参照することができないので、コンテンツのアスペクト比が途中で変化した場合、表示器のアスペクト比を自動で切替えることができない。
【０００７】
また、表示器の中でも最新機種のものも、ユーザが操作手段においてアスペクト比オートに設定し忘れている場合、アスペクト比情報を自ら参照しない。そのため、コンテンツのアスペクト比が途中で変化した場合、アスペクト比オートに設定されていない表示器も、アスペクト比を自動で切替えることができない。
【０００８】
そのため、従来の光ディスク装置は、コンテンツのアスペクト比が途中で変化した場合、最新機種のものも含めた殆どの表示器において、最適なアスペクト比でコンテンツを再生できないという問題があった。
【０００９】
この問題は、特に表示器のアスペクト比が１６：９である場合に顕著である。例えばコンテンツのアスペクト比が４：３から１６：９に途中で変化した場合、該表示器は、１６：９のコンテンツをアスペクト比１６：９で再生できるにも係わらず、アスペクト比情報を自ら参照することができないので、アスペクト比を自動で切替えることができない。そのため、コンテンツのアスペクト比が４：３から１６：９に途中で変化した場合でも、該表示器は、アスペクト比４：３により再生を続けなければならないという問題があった。
【００１０】
また、特許文献１においてＤＶＤレコーダは、ＤＶＤに記録されたＰＧＣＩを参照することでアスペクト比の変化した場所を把握できるが、表示器が、その場所やアスペクト比情報を参照するわけではない。そのため、表示器のアスペクト比を自動で切替えることができない点、上記従来の光ディスク装置と同様である。従って、ＤＶＤレコーダも、上記従来の光ディスク装置と同様の問題が生じる。
【００１１】
本発明はこのような従来の課題を解決しようとするものであり、アスペクト比情報を参照し、コンテンツのアスペクト比が途中で変化した場合、切替信号を表示器に送信して表示器のアスペクト比を自動で切替え、最適なアスペクト比でコンテンツを再生できるようにした光ディスク装置を提供することを目的とする。
【課題を解決するための手段】
【００１２】
本発明の光ディスク装置は、前記課題を解決するために以下の構成を備えている。
【００１３】
（１）装置本体にセットされている光ディスクにピックアップヘッドからレーザ光を照射し、その光ディスクに対して、データの読取を行う読取手段を備え、表示器が接続されている光ディスク装置において、
前記読取手段は、前記光ディスクに記録されているコンテンツの読取を行っている際、該コンテンツのアスペクト比に関するアスペクト比情報を参照して、該コンテンツのアスペクト比が変化したか否かを判断し、
前記読取手段が該コンテンツのアスペクト比が変化したと判断すると、前記表示器のアスペクト比を該変化したアスペクト比に切替える旨の切替信号を前記表示器に送信する命令送信手段を備える。
【００１４】
この構成において、光ディスク装置は、例えばＤＶＤレコーダ又はＤＶＤプレーヤである。光ディスクは、例えばＣＤ−ＲＯＭ、ＣＤ−Ｒ、ＣＤ−ＲＷ、ＤＶＤ−ＲＯＭ、ＤＶＤ−Ｒ、ＤＶＤ＋Ｒ、ＤＶＤ−ＲＡＭ、ＤＶＤ−ＲＷ、又はＤＶＤ＋ＲＷである。
また、表示器は、伝送線を介して光ディスク装置と接続されており、例えばＴＶ受像機、液晶などのモニタである。コンテンツは、例えばＴＶ番組、または映画である。
上記光ディスクには、コンテンツとともに、該コンテンツのアスペクト比情報が記録されている。アスペクト比情報は、アスペクト比に関する情報であり、コンテンツに関する制御データである。アスペクト比は、例えば４：３、または１６：９である。
上記読取手段は、再生中、アスペクト比情報を確認し、コンテンツのアスペクト比が途中で変化したか否か判断する。
上記命令送信手段は、コンテンツのアスペクト比が途中で変化した場合、上記切替信号を表示器に送信する。
上記切替信号（命令）を受信すると、表示器は、アスペクト比を４：３から１６：９に、又はアスペクト比を１６：９から４：３に切替える。
以上より、表示器において最適なアスペクト比でコンテンツを再生できるという効果を奏する。
また、表示器のアスペクト比が１６：９である場合であって、コンテンツのアスペクト比が４：３から１６：９に途中で変化した場合、１６：９のコンテンツをアスペクト比１６：９で再生できる。即ち表示器のスペックを最大限活かす事が出来るという効果を奏する。
なお、外部からの信号により画面の解像度等を切替える技術は一般的になされている技術であり、上記構成は、この技術が前提となっている。
【００１５】
（２）前記命令送信手段は、前回切替信号を送信してから一定時間経過したか否か判断し、該一定時間経過したと判断した場合に、前記切替信号を表示器に送信する。
【００１６】
この構成において、一定時間は、例えば５分、１０分である。
上記（１）において、命令送信手段は、コンテンツのアスペクト比が途中で変化する毎に、上記切替信号を表示器に送信していたが、ここでは、コンテンツのアスペクト比が途中で変化し、且つ前回切替信号を送信してから一定時間経過した場合に、前記切替信号を表示器に送信する。
このため、表示器は、アスペクト比が頻繁に切替わることがなくなり、その切替わりは、適度なものとなる。
以上より、表示器のアスペクト比が頻繁に切替わることを避けることができるという効果を奏する。従って、ユーザに不快感を与えてしまうといった事態を防げる。
なお、上記光ディスク装置に、上記一定時間を設定する操作手段を備えても良い。この場合、前記操作手段により前記一定時間が設定されると、前記命令送信手段は、前回切替信号を送信してから前記設定された一定時間経過しているか否かを判断する。これにより、ユーザが自由に一定時間を設定できるようになるという効果を奏する。この一定時間の変化により、表示器のアスペクト比が切替わる頻度も異なってくる。
【発明の効果】
【００１７】
この発明によれば、表示器において最適なアスペクト比でコンテンツを再生できるという効果を奏する。
【発明を実施するための最良の形態】
【００１８】
以下、本発明の実施形態である光ディスク装置について説明する。
【００１９】
図１は、本発明の実施形態である光ディスク装置の主要な構成を示すブロック図である。
光ディスク装置１は、所謂ＤＶＤレコーダであり、装置本体１を制御する制御部４と、光ディスク１００に対しデータの記録や読取を行うピックアップヘッド２（以下、PUヘッド２と称する。）と、RFアンプなどの記録再生部３と、再生キー、録音キーまたは録画キー等のトリックプレイキーが設けられている操作部５と、情報を表示する表示部７と、データを記憶する記憶部６と、音声データをアナログの再生音声信号に変換するＤ／Ａコンバータ１１と、映像データをアナログの再生映像信号に変換する映像処理部１３と、ＴＶ放送信号を受信してデータを取得する受信部１０と、を備えている。
さらに、光ディスク装置１は、音声端子、映像端子、及び制御端子を介して、テレビジョン１０１と接続されている。光ディスク装置１及びテレビジョン１０１の間の制御線及び制御端子は、後述の図３ｓ９及びｓ１２において命令を送信するための線及び端子である。
【００２０】
なお、この実施形態では、制御線及び制御端子を設けているが、説明を簡単に行なうためのものであり、制御線及び制御端子を別途設けなくとも構わず、これに限定されるものでない。後述の図３ｓ９及びｓ１２において送信する命令は、音声線及び音声端子又は映像線及び映像端子を介して、テレビジョン１０１に送信することも可能である。
また、この実施形態では、テレビジョン１０１が接続されているが、液晶などのモニタでも構わない。
また、この実施形態では、ＤＶＤレコーダで説明しているが、ＤＶＤプレーヤでも構わない。
【００２１】
光ディスク１００は、例えばＣＤ−ＲＯＭ、ＣＤ−Ｒ、ＣＤ−ＲＷ、ＤＶＤ−ＲＯＭ、ＤＶＤ−Ｒ、ＤＶＤ＋Ｒ、ＤＶＤ−ＲＡＭ、ＤＶＤ−ＲＷ、又はＤＶＤ＋ＲＷである。
【００２２】
PUヘッド２は、図示しないレーザダイオード（ＬＤ）、コリメータレンズ、ビームスプリッタ、対物レンズ、フォトディテクタ、スレッドモータ、及び２軸のアクチュエータを備えている。
ＰＵヘッド２は、光ディスク１００の半径方向に延びる軸に移動自在に取り付けられている。スレッドモータが、ＰＵヘッド２を光ディスク１００の半径方向に移動する。
ＬＤは、レーザ光を出力する光源であり、フォトディテクタは、複数の受光素子で形成されており、光ディスク１００からの反射光を検出する。フォトディテクタは、例えば、受光領域がほぼ均等に４分割されており、４つの受光領域を形成している。
対物レンズは、光ディスク１００に対するレーザ光の照射位置を調節する。また、２軸のアクチュエータは、対物レンズを光ディスク１００に接離する方向、及び光ディスク１００の半径方向に移動させる。
【００２３】
まず、再生時の動作について説明する。
ＰＵヘッド２は、光ディスク１００に対して読取パワーのレーザ光を照射し、光ディスク１００からの反射光をフォトディテクタで検出する。これにより、光ディスク１００に記録されている情報、つまり制御データとコンテンツとを光学的に読み出す。コンテンツは、例えばＴＶ番組、または映画である。制御データは、例えばアスペクト比情報である。アスペクト比情報は、アスペクト比に関する情報であり、コンテンツに関する制御データである。アスペクト比は、例えば４：３、または１６：９である。
記録再生部３は、ＰＵヘッド２における複数の受光素子の出力に基づいてＲＦ信号を生成し、該ＲＦ信号を増幅する。そして、記録再生部３は、該ＲＦ信号を処理して映像と音声のデータ（ＡＶデータ）を取り出し、デコードする。この際、制御データも取り出される。ここで、取り出される映像と音声のデータは、例えばＭＰＥＧでエンコードされている。そして、記録再生部３は、音声データをＤ／Ａコンバータ１１に、映像データを映像処理部１３に、両データの同期を取りながら、それぞれ出力する。
Ｄ／Ａコンバータ１１は、伸長された音声データをアナログの再生音声信号に変換し、その再生音声信号を外部のテレビジョン１０１に出力する。
なお、テレビジョン１０１がディジタル対応であれば、ディジタルで出力しても構わない。
【００２４】
映像処理部１３は、入力された映像データをアナログの再生映像信号に変換し、外部のテレビジョン１０１に出力する。
なお、テレビジョン１０１がディジタル対応であれば、ディジタルで出力しても構わない。
【００２５】
Ｄ／Ａコンバータ１１及び映像処理部１３には、テレビジョン１０１が接続され、ユーザは、このテレビジョン１０１において、Ｄ／Ａコンバータ１１及び映像処理部１３から出力された映像信号に基づく映像、及び音声信号に基づく音声を視聴することができる。
【００２６】
次に、記録時の動作について説明する。
受信部１０は、例えばチューナである。
受信部１０は、ＴＶ放送等を受信するアンテナから選択されているチャンネルのＴＶ放送信号を抽出して、Ａ／Ｄ変換してディジタル化し、出力する。インターネット、ディジタル放送などのようにデータとして入力されてくるならば、受信部１０は、パケット又はＴＶ放送信号等からデータを抽出して、出力する。
ここで、受信部１０は、ＴＶ放送等のアンテナからＴＶ放送信号等を受信するに限らず、撮像装置で撮像した動画なども受信する。
【００２７】
そして、記録再生部３は、入力されたデータを（例えば、ＭＰＥＧで）エンコードし、ディジタル信号をＰＵヘッド２に出力する。該入力されたデータは、ＡＶ（オーディオビジュアル）データを含んでおり、分離された後エンコードされる。
そして、ＰＵヘッド２は、記録再生部３からディジタル信号が入力されると、このディジタル信号に応じて記録パワーのレーザ光を制御し、光ディスク１００の記録面に照射する。
【００２８】
操作部５は、ユーザが光ディスク装置１に対して各種の命令（コマンド）を入力するためのものであり、設定キーとトリックプレイキーとを含む複数のキーが設けられている。光ディスク装置１に対してユーザが入力したコマンドは制御部４に伝送される。
このトリックプレイキーは、例えば再生キー、録画キー、スキップキー、早送りキー、又はリピートキーである。
この設定キーは、テレビジョン１０１が扱えるアスペクト比を予め入力するキーである。
【００２９】
記憶部６は、例えばＥＥＰＲＯＭで構成されており、装置本体１の主制御プログラムを記憶する。さらに、記憶部６は、操作部５の設定キーにより予め入力されたテレビジョン１０１が扱えるアスペクト比を記憶する。アスペクト比は、例えば４：３、または１６：９である。
【００３０】
表示部７は、時刻、光ディスク装置１の設定状態などを表示する。
制御部４は、例えばマイクロコンピュータで構成されており、光ディスク装置１にユーザから入力された命令に応じて光ディスク装置１の各部を制御する。
さらに、制御部４は、後述の図３ｓ８、ｓ１１、及びｓ１３において時間を計測するタイマー回路（時計ユニット）を内蔵する。さらに、タイマー回路（時計ユニット）は、時刻を経時する。
なお、実際の光ディスク装置では、読取時や記録時に、レーザ光の照射位置を光ディスクのトラックの中心に合わせるトラッキングサーボ制御と、レーザ光の合焦位置を光ディスクの記録面に合わせるフォーカスサーボ制御と、を行っているが、本発明の実施形態では図示を省略している。
【００３１】
ここで、ＰＵヘッド２、記録再生部３、及び制御部４が、本発明の「読取手段」に相当する。また、制御部４が、本発明の「命令送信手段」に相当する。また、テレビジョン１０１が、本発明の「表示器」に相当する。
【００３２】
図２は、ＤＶＤ−Ｖideoフォーマットで記録された光ディスク上のデータのデータ構造を示す図である。ＤＶＤ−Ｖideoフォーマットで記録された光ディスク１００上には、図２（イ）に示すように、その内周から外周にかけてVＭGI、VＭGＭ_VOBS、タイトル１〜３が記録されている。
なお、この実施形態では、ＤＶＤ−Ｖideoフォーマットを説明しているがこれに限定する趣旨ではなく、ＶＲフォーマットでも構わない。
【００３３】
VＭGI(Video  Ｍanager  InforＭation)は、ＤＶＤ−Ｖideo全体の再生関連情報（制御データ）、いわゆるルートメニューの情報が記述されている。例えば、ＶＴＳＩのアドレス情報やチャプタ情報等もここに記述されている。チャプタ情報とは、設定するチャプタの位置等を示す情報である。
VＭGＭ_VOBS(Video  Object  Set  for  VＭG  Ｍenu)は、タイトルメニューで使用するコンテンツが記述されている。ＶＴＳＩのアドレス情報等を含むＤＶＤ−Ｖideo全体の再生関連情報（制御データ）が記述される場合もある。
VＭGIbupは、VＭGIのバックアップファイルである。
以下、ＶＭＧと言う時は、VＭGI又はVＭGＭ_VOBSを指す。
【００３４】
また、タイトルは、ＶＴＳＩ（Ｖideo  Ｔitle  Ｓet  ＩnforＭation）とＶＯＢＳ（Ｖideo  Ｏbject  Ｓet）とＶＴＳＩbupとから構成されており（図２（イ）参照）、最大９９タイトルまで収録が可能である。図２（イ）では、３タイトル収録されている。
【００３５】
ＶＴＳＩは、そのＶＴＳに対する制御データが記述されている。
ＶＯＢＳは、タイトル再生のためのコンテンツが記述されており、図２（ロ）に示すように、複数のセルから構成されている。図２（ロ）の＃ｎは、セルの番号である。
なお、ＶＯＢＳとＶＴＳとは、同じものを表す。
ＶＴＳＩbupは、ＶＴＳＩのバックアップファイルが記述されている。
ここで、ＶＴＳＩ、ＶＯＢＳ、及びＶＴＳＩbupの＃１〜３は、タイトルの番号に対応している。
【００３６】
ＤＶＤ−Ｖideoフォーマットにおいて、データは、予め決められたセル単位で記録される。
セルは、複数のＶＯＢＵ（Ｖideo  Ｏbject  Ｕnit）で構成される（図２（ハ）参照）。図２（ハ）の＃ｍは、ＶＯＢＵの番号である。１タイトルのセルの最大数は２５５セルである。そのため、光ディスクに１０時間分のデータを記録する場合、１セルは、例えば２分３０秒である。
ここで、１セルで１０時間分のデータを記録してもよいが、セルの再生時間をＮＶ＿ＰＣＫに書く必要があるため、セルを一旦光ディスク１００に記録し始めると、ユーザが録画停止してもセルを記録し終えるまで記録を停止することができない。よって、利便性を考えると、１セルは、２分３０秒くらいの時間が望ましい。
【００３７】
ＶＯＢＵは、先頭にＮＶ＿ＰＣＫ（Ｎavigatyion  Ｐack）が置かれ、続いてビデオデータやオーディオデータ（ＡＶデータ）などのコンテンツがパック化されて挿入される（図２（ニ）参照）。
ここで、現在のＶＯＢＵを記録するのに、現在のＶＯＢＵの後に記録する複数個のＶＯＢＵの先頭アドレスやセルの再生時間などを、現在のＶＯＢＵ中のＮＶ＿ＰＣＫに書き込必要がある。
ＤＶＤ−Ｖideoフォーマットにおいて、データは、前から順番に、例えると一筆書きのように記録されるため、記録後編集を行うことはできない。
【００３８】
アスペクト比情報は、ＮＶ＿ＰＣＫに記述されている。ビデオパックのシーケンスヘッダにも記述されることがある。
詳述すると、ＮＶ＿ＰＣＫは、ＲＤＩ＿ＧＩと、ＤＣＩと、ＣＣＩと、ＭＮＦＩとが記述されている。
ＲＤＩ＿ＧＩは、リアルタイムデータ情報一般情報であり、このＲＤＩ＿ＧＩが属するＶＯＢＵの最初のビデオフィールドのプレゼンテーション開始時間やＶＯＢＵ記録時間を含む。ＤＣＩは、ディスプレイ制御データであり、アスペクト比情報を含んでいる。ＣＣＩは、コピー制御データであり、コピー禁止情報やコピー許可情報を含んでいる。ＭＮＦＩは、製造者情報である。
アスペクト比情報（００００）は、例えば４：３を示しており、（０００１）は、例えば１６：９を示す。
【００３９】
図３は、本発明の実施形態である光ディスク装置において再生キー押下時に制御部が行う動作を示すフローチャートである。図３で示されている再生キー押下ルーチンは、上記主制御プログラムに関連する（プレインストールされている）ルーチンであり、再生キー押下により、主制御プログラムからコールされる。
【００４０】
図４は、テレビジョン１０１のアスペクト比が切替わる様子を示す図である。
図４（Ａ）は、テレビジョン１０１のアスペクト比が４：３に切替わった様子を示す図である。
図４（Ｂ）は、テレビジョン１０１のアスペクト比が１６：９に切替わった様子を示す図である。
【００４１】
再生キーが押下されると、それがトリガとなり、制御部４は、図３で示されている再生キー押下ルーチンを実行し、以下の動作を行う。
【００４２】
まず、制御部４は、光ディスク１００が装置本体１にセットされているか判断する（ｓ１）。この判断は、例えばレーザ光をＰＵヘッド２に照射させ、ＰＵヘッド２がその反射光を検出できるか否かにより行われる。ＰＵヘッド２が反射光を検出できれば、記録再生部３が該反射光を電気信号に変換し、制御部４に転送する。制御部４は、該電気信号が転送されたことにより、光ディスク１００が装置本体１にセットされていると判断できる。
【００４３】
ｓ２において、光ディスク１００が装置本体１にセットされていないと判断すると、制御部４は、本処理を終了する。ここで、終了する際、制御部４は、ユーザに対し光ディスクの装置本体へのセットを要求する旨の文字を表示部７に表示させても良い。ユーザに対し光ディスクの装置本体へのセットを要求する旨の文字は、例えばディスクを装置本体にセットしてくださいである。
【００４４】
一方、ｓ１において、光ディスク１００が装置本体１にセットされていると判断すると、制御部４は、再生を行うため、装置本体１各部の制御を実行する（ｓ２）。これにより、ＰＵヘッド２は、光ディスク１００に対しデータの読取、つまりコンテンツの読取を開始する。
【００４５】
制御部４は、記憶部６に記憶されているテレビジョン１０１のアスペクト比を参照する（ｓ３）。テレビジョン１０１のアスペクト比は、ユーザによって予め登録される情報である。ユーザは、テレビジョン１０１のアスペクト比を調べ、操作部５の設定キーを用いて事前に登録する。
【００４６】
制御部４は、参照したテレビジョン１０１のアスペクト比が１６：９であるか否か判断する（ｓ４）。
なお、ｓ４では、再生キー押下ルーチンがアスペクト比４：３の表示器よりアスペクト比１６：９の表示器に適用することが望ましいため、アスペクト比４：３の表示器を判断否定としている。しかし、アスペクト比４：３の表示器を除外する趣旨でなく、再生キー押下ルーチンをアスペクト比４：３の表示器にも活用するのであれば、ｓ４はスルーしても良い。
参照したテレビジョン１０１のアスペクト比が１６：９でないと判断すると、制御部４は、本処理を終了する。
【００４７】
一方、参照したテレビジョン１０１のアスペクト比が１６：９であると判断すると、制御部４は、現在再生中であるか否か判断する（ｓ５）。
【００４８】
現在再生中でなければ、制御部４は、本処理を終了する。つまり、再生中、制御部４は、ｓ５、ｓ６、ｓ７、及びｓ１０の処理を繰り返す。
【００４９】
現在再生中であれば、制御部４は、現時点において再生しているコンテンツのアスペクト比を確認する（ｓ６）。再生しているコンテンツのアスペクト比の確認は、記録再生部３が取り出す制御データのアスペクト比情報を制御部４が参照することにより行なう。ｓ６において、制御部４は、ＮＶ＿ＰＣＫと映像パックのシーケンスヘッダの内、ＮＶ＿ＰＣＫのアスペクト比情報を参照する（図２参照）。
なお、ＮＶ＿ＰＣＫと映像パックのシーケンスヘッダの内、どちらを参照するかは、予め設定しておく。
【００５０】
そして、制御部４は、再生しているコンテンツのアスペクト比が１６：９に変化したか否か判断する（ｓ７）。この判断は、再生しているコンテンツのアスペクト比情報と後述のｓ１４で記憶部６に記録されるアスペクト比情報とを比較することにより行なわれる。また、ｓ７判断肯定では、再生しているコンテンツのアスペクト比が４：３から１６：９に変化した場面を想定している。
なお、後述のｓ１４で記憶部６にアスペクト比情報が記録されていない、つまり初回ならば、ｓ７において、制御部４は、再生しているコンテンツのアスペクト比が１６：９であるか否か判断する。
【００５１】
再生しているコンテンツのアスペクト比が１６：９に変化していないと判断すると、制御部４は、再生しているコンテンツのアスペクト比が４：３に変化したか否か判断する（ｓ１０）。この判断は、ｓ７と同様の手法により行なわれる。ｓ１０判断肯定では、再生しているコンテンツのアスペクト比が１６：９から４：３に変化した場面を想定している。
なお、後述のｓ１４で記憶部６にアスペクト比情報が記録されていない、つまり初回ならば、ｓ１０において、制御部４は、再生しているコンテンツのアスペクト比が４：３であるか否か判断する。
【００５２】
再生しているコンテンツのアスペクト比が４：３に変化していないと判断すると、制御部４は、ｓ５に進み処理を継続する。
【００５３】
一方、再生しているコンテンツのアスペクト比が１６：９に変化していると判断すると、制御部４は、前回命令をテレビジョン１０１に送信してから一定時間が経過したか否か判断する（ｓ８）。この判断は、制御部４が内蔵するタイマー回路で、後述のｓ１３において計測を開始した時間を参照することにより行なう。一定時間は、例えば５分である。ｓ８を設けた趣旨は、テレビジョン１０１のアスペクト比が頻繁に切替わると、ユーザに不快感を与えてしまうためである。そこで、ｓ８では、テレビジョン１０１のアスペクト比が頻繁に切替わることを避けている（図４参照）。
なお、後述のｓ９で命令を送信していない、つまり初回ならば、制御部４は、ｓ８を判断肯定とする。
以上より、テレビジョン１０１のアスペクト比が頻繁に切替わることを避けることができるという効果を奏する。従って、ユーザに不快感を与えてしまうといった事態を防げる。
なお、操作部５に、上記一定時間を設定するキーを設けても良い。この場合、操作部５により一定時間が設定されると、制御部４は、前回切替信号を送信してから該設定された一定時間経過しているか否かを判断する。これにより、ユーザが自由に一定時間を設定できるようになるという効果を奏する。この一定時間を変化させることで、テレビジョン１０１のアスペクト比が切替わる頻度も異なってくる。
【００５４】
ｓ８において、前回命令をテレビジョン１０１に送信してから一定時間が経過していないと判断すると、制御部４は、ｓ５に戻り処理を継続する。
【００５５】
一方、ｓ８において、前回命令をテレビジョン１０１に送信してから一定時間が経過したと判断すると、制御部４は、テレビジョン１０１のアスペクト比を該変化したアスペクト比１６：９に切替える旨の切替信号（命令）をテレビジョン１０１に送信する（ｓ９）。
この切替信号（命令）を受信すると、テレビジョン１０１は、図４（Ｂ）に示すようにアスペクト比を１６：９に切替える。
なお、外部からの信号により画面の解像度等を切替える技術は、一般的になされている技術であり、本発明の実施形態は、この技術が前提となっている。
以上より、テレビジョン１０１において最適なアスペクト比１６：９でコンテンツを再生できるという効果を奏する。
また、テレビジョン１０１において、１６：９のコンテンツをアスペクト比１６：９で再生できる。即ちテレビジョン１０１のスペックを最大限活かす事が出来るという効果を奏する。
【００５６】
一方、ｓ１０において、再生しているコンテンツのアスペクト比が４：３に変化していると判断すると、制御部４は、前回命令をテレビジョン１０１に送信してから一定時間が経過したか否か判断する（ｓ１１）。この判断は、ｓ８と同様であり、同じ趣旨である。
なお、後述のｓ１２で命令を送信していない、つまり初回ならば、制御部４は、ｓ１１を判断肯定とする。
【００５７】
ｓ１１において、前回命令をテレビジョン１０１に送信してから一定時間が経過していないと判断すると、制御部４は、ｓ５に戻り処理を継続する。
【００５８】
一方、ｓ１１において、前回命令をテレビジョン１０１に送信してから一定時間が経過したと判断すると、制御部４は、テレビジョン１０１のアスペクト比を該変化したアスペクト比４：３に切替える旨の切替信号（命令）をテレビジョン１０１に送信する（ｓ１２）。
この切替信号（命令）を受信すると、テレビジョン１０１は、図４（Ａ）に示すようにアスペクト比を４：３に切替える。
以上より、テレビジョン１０１において最適なアスペクト比４：３でコンテンツを再生できるという効果を奏する。
【００５９】
ｓ９又はｓ１２において命令を送信すると即、制御部４は、内蔵するタイマー回路のタイマーをスタートさせる（ｓ１３）。このタイマーは、ｓ８及びｓ１１の判断で使用される。
制御部４は、切替えたアスペクト比のアスペクト比情報を記憶部６に記録し（ｓ１４）、ｓ５に戻り処理を継続する。記憶部６に記録したアスペクト比情報は、ｓ７及びｓ１０の判断で使用される。
【図面の簡単な説明】
【００６０】
【図１】本発明の実施形態である光ディスク装置の主要な構成を示すブロック図
【図２】ＤＶＤ−Ｖideoフォーマットで記録された光ディスク上のデータのデータ構造を示す図
【図３】本発明の実施形態である光ディスク装置において再生キー押下時に制御部が行う動作を示すフローチャート
【図４】テレビジョン１０１のアスペクト比が切替わる様子を示す図
【符号の説明】
【００６１】
１−光ディスク装置
２−PUヘッド
３−記録再生部
４−制御部
５−操作部
６−記憶部
７−表示部
１０−受信部
１１−Ｄ／Ａコンバータ
１３−映像処理部
１００−光ディスク
１０１−テレビジョン
【図１】
2007158531.tif 000003
【図２】
2007158531.tif 000004
【図３】
2007158531.tif 000005
【図４】
2007158531.tif 000006